(57)【要約】      （修正有）【課題】人体に有害な電磁波を防御・吸着して浄化するのに適した電磁波障害防止器具を提供する。【解決手段】電磁波障害防止器具では、正六角形状の底板３の外周に立設した正六角柱状の外枠１と、外枠１の内側に立設した正六角柱状の中枠２とによって、外方充填部４と内方充填部５からなるボード状の二重枠箱体を構成する。各充填部には、結合剤に白竹炭粉末とトルマリン粉末と水晶粉末を混合した電磁波吸収物質７を充填するとともに、中枠２には外方充填部４と内方充填部５とを連通する開口部を設けることによって、より強力に電磁波を防御・吸着できるようにしている。【選択図】図２
0003164990.tif 000002
【実用新案登録請求の範囲】
【請求項１】
正六角形状の底板の外周に立設した正六角柱状の外枠と、外枠の内側に立設した正六角柱状の中枠とによって、外方充填部と内方充填部からなるボード状の二重枠箱体を構成し、各充填部には、結合剤に白竹炭粉末とトルマリン粉末と水晶粉末を混合した電磁波吸収物質を充填するとともに、中枠には外方充填部と内方充填部とを連通する開口部を設けたことを特徴とする電磁波障害防止器具。
【考案の詳細な説明】
【技術分野】
【０００１】
本考案は、人体に有害な電磁波を防御・吸着して浄化するのに適した電磁波障害防止器具に関するものである。
【背景技術】
【０００２】
石油系燃料の使用による二酸化炭素の排出が、地球温暖化の要因として問題視されていることから、住宅業界においてもエコロジーに対する取り組みが積極的になされている。
【０００３】
具体的には、通称IHと呼ばれる電磁調理器を採用したキッチンや、電動ヒートポンプ式の給湯器等を採用し、キッチンから給湯・冷暖房に到るまで石油系燃料を一切使用しないオール電化住宅が提案され、屋根に設置する太陽光パネルによる自家発電システムと併せて急速に普及が進んでいる。
【０００４】
確かにオール電化住宅では、二酸化炭素の排出が低減されるばかりでなく、火災や火傷等の事故も少なく、機器類のコントロールも容易に自動化することができることから、エコロジーばかりでなく安全性や利便性という点においても、核家族化の進んだ現代のライフスタイルに適したもののように思われる。
【０００５】
しかしながらこうしたオール電化住宅では、電磁波が人体に及ぼす影響について充分に配慮がなされているとはいえず、むしろ従来型の住宅環境に比べ、日常生活で人体が浴びる電磁波の量は著しく増加する傾向にある。
【０００６】
特に電磁料理器などは、強力な交流電磁誘導により鍋底に渦電流を発生させて過熱させる仕組みであるから、それ自体が強力な電磁波の発生装置というべきものであり、日常的に厨房で過ごす時間の多い主婦は、電磁調理器から極めて大量の電磁波を浴び続けていることになる。
【０００７】
このほかにも、家庭内に普通に用いられているパソコンや電子レンジ・テレビ・ドライヤーといったおよそ電気で作動する全ての機器からは電磁波が放出されているのであるから、現代の住宅においては、到るところから電磁波が放出されている状況にある。
【０００８】
したがって、こうした高度に電化された住宅に居住することは、電磁波が充満したエレクトロスモッグにまみれて生活していることに他ならず、かつての住宅環境とは比較し得ないほど大量の電磁波を日常的に浴び続けながら生活していることになる。
【０００９】
電磁波が、人体に対して悪い影響を及ぼすことは言うまでも無いが、一般的な電磁波が人体に与える影響として注意すべきことは、その悪影響が発症するのにタイムラグがあるということである。
【００１０】
つまり電磁波を浴びた時点で即座に体調に不調を来たすことは少なく、電磁波の悪影響を痛みや不快感などとして直接的に感じ難いという特徴があるのである。そのため電磁波を継続的に浴び続けることに対して抵抗感が薄くなりがちであり、その影響が体内に一定量以上に蓄積された時点で、はじめて電磁波ストレスとして身体が蝕まれていたことに気付くのである。こうして身体の不調が発祥しても、既に大量の電磁波を浴びている以上、対処療法的処置しか取ることができず手遅れにもなりかねない。
【００１１】
実際に人体が大量の電磁波を浴びた場合の悪影響については、既に様々な警告がなされているが、特許文献１では、パソコンから放出される電磁波の悪影響を取り除くためのマウスマットに関する技術が公開されている。
【００１２】
【特許文献１】特開２００１−１８９５９０号公報
【考案の開示】
【考案が解決しようとする課題】
【００１３】
しかしながら特許文献１に記載の装置では、電磁波が除去されるのはパソコンの操作中に限られるものであって、汎用性に乏しく一時的な問題の解決にしかなりえない。
【００１４】
そこで本考案では、簡易な構造で、人体に有害な電磁波を効率的に除去することができ、かつ日常的に用いることができる汎用性の高い電磁波障害防止器具を提供しようとするものである。
【課題を解決するための手段】
【００１５】
本考案では、正六角形状の底板の外周に立設した正六角柱状の外枠と、外枠の内側に立設した正六角柱状の中枠とによって、外方充填部と内方充填部からなるボード状の二重枠箱体を構成し、各充填部には、結合剤に白竹炭粉末とトルマリン粉末と水晶粉末を混合した電磁波吸収物質を充填するとともに、中枠には外方充填部と内方充填部とを連通する開口部を設けたことを特徴とする電磁波障害防止器具によって、問題点を解決している。
【考案の効果】
【００１６】
上述のように、本考案の器具の外形は、ボード状の箱体であるので、使い勝手が良く、何処に居ても使用することができるという利点があるため、日常的に電磁波の影響を容易に取り除くことができる。そして電磁波吸収物質に含まれる白竹炭・トルマリン・水晶の作用により、心身の活性と安定が促され、健康状態を健全に保つことができるようになる。
【考案を実施するための最良の形態】
【００１７】
以下、本考案の実施の形態を図１〜図５に基づいて説明する。
【実施例】
【００１８】
図１は、本考案の実施例の外観図であり、全体としては正六角柱状の箱体を構成しているが、その厚みは薄く平たいボード状をなしている。
【００１９】
図２は、本考案の実施例の平面図およびＡ−Ａ線での断面図である。1は外枠で、正六角形状の底板３の外周に立設されている。また充分な効果を得るためには、正六角柱状の外形が直径５００ミリメートルの円に外接する程度の横幅と、５０ミリメートル程度の高さを必要とし、体重に耐えうる程度の強度を有した導電性の無い木材を用いて製作するのが望ましい。
【００２０】
２は、外枠１の内側に底板３から垂直に立設させた正六角柱状の中枠で、この中枠２によって外方充填部４と内方充填部５からなるボード状の二重枠箱体が形成されている。そしてこの充填部４及び５には、接着成分を有する糊などの結合剤に、炭素化して電導率を高めた白竹炭粉末と、３ミクロン程度に粉砕したトルマリンと水晶の粉末を混合した電磁波吸収物質７を上面がフラットになるように充填してある。なお最適の効果を奏するためには、白竹炭４０００グラムに対し、トルマリン２０グラム、水晶２０グラムの割合で配合することが望ましい。
【００２１】
なお底板３の底面には、３ミリメートル程度の厚みのゴム若しくはフェルト材等からなるマット６を適宜の位置に貼付してあり、床材の保護と器具の安定を図るようにしてある。
【００２２】
また図３に示すように、中枠２にはその略中央部に外方充填部４と内方充填部５とを連通する高さ５ミリメートル幅２０ミリメートル程度の開口部８が設けてあり、この開口部８にも電磁波吸収物質７を充填することによって、外方充填部４と内方充填部５の電磁波吸収物質７が連続的に接続されるようにしている。
【００２３】
使用方法については、パソコンや電子レンジなど強力な電磁波を放出する機器を直接積載すれば、こうした機器からの電磁波の放散を抑えることができるが、オール電化住宅などエレクトロスモッグにまみれた環境にあっては、電磁波の影響を直接的に身体から取り除くために、身体の一部を本考案の器具の上に載せて使用する方法が望ましい。
【００２４】
その際には、電磁波を取り除く効果は上面位置が最も高いため、厨房で電磁調理器等を使用する場合などには、図４及び図５に示すように、足位置９を中枠２の外側に置き、股間が中央に来るようにした立位状態で使用すると最大の効果を得ることができるし、オフィスでパソコンを操作する際には、机の下に置き椅子に座った状態で足だけを載せても充分な効果を得ることができる。
【００２５】
次に本考案の作用について説明する。
【００２６】
居住環境に充満する電磁波が本考案の電磁波障害防止器具に取り込まれると、箱の内部の電磁波吸収物質に吸収されて減衰してゆく。したがって箱体の形状を決定するにあたっては、電磁波吸収物質への透過距離を長く採ることができる形状を採用することが重要である。
【００２７】
すなわち円柱状に近いほど、満遍なく電磁波吸収物質の透過距離を長く採ることができるのであるが、電磁波吸収物質の表面形状が曲面となるため、電磁波の乱反射が生じてしまい、電磁エネルギーが散乱して著しく効果が損なわれるという問題が生じる。したがってステルス戦闘機でもみられるように、鋭角部を有する多面体構造を採用して、乱反射を極力抑えることが非常に重要である。
【００２８】
いっぽう多面体構造であっても三角柱など極めて鋭角的な屈曲部を有する構造では、電磁波吸収物質の透過距離が著しく短くなり効率が低下するという別の問題が生じてしまう。
【００２９】
この点に関し、本考案で採用した正六角柱状の壁面構造を採用すれば、電磁波吸収物質への通過距離を適度に長く採れるうえに乱反射も少ないので、最もバランスよく電磁波を吸収させることができるのである。
【００３０】
そしてこの効果を強化するために本考案では、外枠１と内枠２からなる二重枠箱体構造を採用し、外方充填部４と内方充填部５を有するようにしているので、より強力に電磁波を減衰させることができる。さらに中枠２には外方充填部４と内方充填部５を連通する開口部８を設けてあるため、各充填部４及び５の連携効果が高まり、電磁波吸収物質７の効能を最大限に引き出すことができるのである。
【００３１】
なお電磁波吸収物質７に含まれる白竹炭・トルマリン・水晶が人体に対して無害であることは言うまでもないが、トルマリンは精神安定と体温上昇を促すとされており、また水晶は心身の活性と安定を促すとされているため、本考案の電磁派障害防止器具は電磁波を有効に吸収するばかりでなく、人体の気を正常に保つことができ、代謝が活性化され体温の上昇をみることができる。
【産業上の利用可能性】
【００３２】
本考案の電磁派障害防止器具は、薄型のボード状の箱体であるから使い勝手も良く、家庭内のあらゆる場所で用いることができ、手軽に電磁波による障害を抑制することができる。したがって、特にオール電化住宅など、エレクトロスモッグの影響が著しい居住環境にあっては非常に効果的な効能を発揮する。
【図面の簡単な説明】
【００３３】
【図１】本考案の実施例を示す外観図である。
【図２】本考案の実施例を示す平面図および垂直断面図である。
【図３】中枠の開口部の状態を示す拡大断面図である。
【図４】本考案の使用状態を示した平面図である。
【図５】本考案の使用状態を示した垂直断面図である。
【符号の説明】
【００３４】
１    外枠
２    中枠
３    底板
４    外方充填部
５    内方充填部
６    マット
７    電磁波吸収物質
８    開口部
９    足位置
【図１】
0003164990.tif 000003
【図２】
0003164990.tif 000004
【図３】
0003164990.tif 000005
【図４】
0003164990.tif 000006
【図５】
0003164990.tif 000007